(57)【要約】【課題】電気光学パネルの浮きを確実に防止して良好な表示性能を確保するようにした、電気光学装置及び電子機器を提供する。【解決手段】表示面を有する電気光学パネル１０と、側壁を有する電気光学パネル１０を収容する収容部材４０と、電気光学パネル１０に一端部２１が接続された配線基板２０と、を備える電気光学装置である。配線基板２０の他端部２２側は、電気光学パネル１０の表示面とは反対側に折り曲げられてなる。配線基板２０の他端部２２側は、収容部材４０の側壁に密着した状態で折り曲げられているとともに、収容部材４０、又は収容部材４０に収容されてなる被収容部材に固定されてなる。配線基板２０は、一端部２１側と他端部２２側との間で張力Ｔが働いている状態で、収容部材４０の側壁に密着している。【選択図】図２
2011133519.tif 000002
【特許請求の範囲】
【請求項１】
表示面を有する電気光学パネルと、
側壁を有する前記電気光学パネルを収容する収容部材と、
前記電気光学パネルに一端部が接続された配線基板と、を備え、
前記配線基板の他端部側は、前記電気光学パネルの前記表示面とは反対側に折り曲げられてなり、
前記配線基板の他端部側は、前記収容部材の側壁に密着した状態で折り曲げられているとともに、前記収容部材、又は前記収容部材に収容されてなる被収容部材に固定されてなり、
前記配線基板は、前記一端部側と前記他端部側との間で張力が働いている状態で、前記収容部材の側壁に密着していることを特徴とする電気光学装置。
【請求項２】
前記配線基板の他端部側は、複数箇所で前記収容部材又は前記被収容部材に接着されていることを特徴とする請求項１記載の電気光学装置。
【請求項３】
前記配線基板の他端部側は、その全面で前記収容部材又は前記被収容部材に接着されていることを特徴とする請求項１記載の電気光学装置。
【請求項４】
前記配線基板の他端部側は、接着による固定手段と機械的固定手段とが併用されて前記収容部材又は前記被収容部材に固定されていることを特徴とする請求項１〜３のいずれか一項に記載の電気光学装置。
【請求項５】
前記配線基板の他端部側は、その外面側が押さえ材によって前記収容部材又は前記被収容部材に押し付けられていることを特徴とする請求項１〜４のいずれか一項に記載の電気光学装置。
【請求項６】
前記収容部材は、該収容部材の少なくとも底部を構成する金属部と、該金属部と一体化された樹脂部とによって構成されていることを特徴とする請求項１〜５のいずれか一項に記載の電気光学装置。
【請求項７】
請求項１〜６のいずれか１項に記載の電気光学装置を備えることを特徴とする電子機器。
【請求項８】
前記電気光学装置を収容する筐体を備え、
前記筐体には、前記電気光学装置における前記配線基板の他端部側を、前記収容部材又は前記被収容部材に押し付けて圧着させる圧着部が設けられていることを特徴とする請求項７記載の電子機器。
【発明の詳細な説明】
【技術分野】
【０００１】
本発明は、電気光学装置及び電子機器に関する。
【背景技術】
【０００２】
近年、携帯電話機や携帯情報端末機等の各種の電子機器において、種々の情報を視覚的に表示するための表示部として、液晶表示装置が用いられている。
このような液晶表示装置の一例として、表示パネルの一例である液晶パネルとバックライト（照明装置）と、液晶パネル及びバックライトを収容するためのフレームとを備えた液晶表示装置が知られている。
【０００３】
液晶パネルは、一対の基板と、基板外周部に沿って一対の基板間に形成されたシール材と、これら一対の基板及びシール材により囲まれた領域に配置された液晶とを有して構成されたものである。また、バックライトは、一般に透光性の樹脂によって形成された導光板と、光を発生する光源とを有する。このような光源としては、例えばＬＥＤ（Light Emitting Diode）や冷陰極管等を用いることができ、光源から発せられた光は導光板の内部に導入され、導光板の内部を進行した後、導光板の光出射面から面状の光となって液晶表示装置の液晶層へ出射されて表示が行われるようになっている。
【０００４】
そして、前記液晶パネルには、可撓性を備えた、例えばＦＰＣ（Flexible Printed Circuit）から構成される配線基板が接続される。この配線基板には、例えば液晶パネルを駆動するために必要となる駆動回路及び入力用端子が形成されており、この入力用端子に外部電源や種々の外部機器が接続されることにより、配線基板を介して液晶パネルに駆動信号や電力が供給されるようになっている。また、光源であるＬＥＤが実装され、導光板やプリズムシートにより液晶パネルに透過光を照射することができる構造とされる場合もある。
【０００５】
このような配線基板は、一般に液晶表示装置の小型化や設計自由度を高めるといった理由から、液晶パネル（表示パネル）から直線的に引き出された後に曲げられた構成となっており、したがって配線基板に曲げ応力が生じた状態で使用される。また、液晶パネルは、フレームやこれに収容されたバックライトに、遮光性を備えた接着テープ（両面テープ）によって貼着されることで、前記フレームに収容されている。ところが、液晶パネルの遮光領域の縮小に伴い、遮光領域として利用される接着テープの表面積も小さくなってきている。
【０００６】
したがって、図９中実線で示すように、配線基板１０１の曲げに対する反力（曲げ応力）が液晶パネル１０３の表示面の法線方向に生じるため、前述したような接着テープ１０２の接着力では液晶パネル１０３を保持しておくことができず、液晶パネル１０３が接着テープ１０２から剥がれ、フレーム１０５内から浮き上がってしまうおそれがある。
【０００７】
なお、配線基板１０１は、フレーム１０５の側端面に沿って折り曲げられているが、この側端面１０５ａに対しては、図９中二点鎖線で示すように、密着することなくたわみ（隙間）を持って設けられている。これは、配線基板１０１の強度が不十分であり、曲げ応力による破損や断線の懸念があるからである。また、ここにたわみ（隙間）を持たせることで、各部品の公差管理も容易にしている。
【０００８】
しかし、前述したように接着テープ１０２から液晶パネル１０３が剥がれてしまうと、液晶表示面の表面輝度ムラといった不具合が発生してしまう。また、フレーム１０５内から液晶パネル１０３が浮き上がると、バックライト１０４と液晶パネル１０３との位置関係が変化することにより、バックライト１０４の光を有効に利用できなくなってしまい、液晶表示装置１００の表示品質が低下してしまう。
【０００９】
また、液晶パネル１０３に接続された配線基板１０１がフレーム１０５の側端面に対してたわみ（隙間）を持っているため、その状態で筐体等に組み込むと、このたわみ（隙間）部分が筐体等に押されることがある。すると、配線基板１０１に対して液晶パネル１０３表面の面方向への力が働くことから、この配線基板１０１に接続する液晶パネル１０３の浮き上がりがより起き易くなってしまう。
そこで、図１０に示すように、リブ１１１等を設けて液晶パネル１０３や配線基板１０１を押さえることで配線基板１０１の反力等を抑制するという構成が考えられてきた（例えば、特許文献１参照。）。
【先行技術文献】
【特許文献】
【００１０】
【特許文献１】特開２００６−９８８１１号公報
【発明の概要】
【発明が解決しようとする課題】
【００１１】
しかし、配線基板だけを押さえても液晶パネルの浮きに対して不十分な場合が多い。また、液晶パネルを押さえる構造は落下時の衝撃の際にリブ等が液晶パネルを強く押してしまうことになり、パネル割れの原因になってしまうことがあった。さらに、リブ等により偏光板を押さえるような構造も提案されているが、このような構造は、液晶パネルの浮きに対して有効であるものの、外形の大きさが大きくなってしまい、コンパクトな構造を求める現在の顧客ニーズに対応できない。そのため、外形をコンパクトに納め、液晶パネルの浮きを確実に防止する構造が求められている。
また、配線基板の長さやフレームの寸法（公差）のばらつきにより、リブ等が組み込み難くなったり、リブによる配線基板等の押さえが弱くなってしまうという問題もあった。
【００１２】
さらに、フレームの強度を向上させて薄型化を可能としたインサート成形のフレームを用いた液晶表示装置が提案されている。インサート成形のフレームを用いた液晶表示装置２００は、具体的には、図１１に示すようにフレーム２０５が、底部及び側壁の一部を構成する金属板２０１と、金属板２０１と一体化された枠状の樹脂部２０２とを備えている。そして、配線基板２０３が、液晶パネル２１０の表面側からフレーム２０５の側端面２０５ａを回り込んで裏面側に固定されている。そのため、配線基板２０３に曲げ応力が生じており、前述した液晶パネル２１０の浮きを押さえるのが困難になっている。
【００１３】
なお、液晶パネルとバックライトとを貼り合わせる接着テープ（両面テープ）の接着力を高めることも考えられるが、これを実現するには基材等の開発に時間やコストがかかり、また、接着テープを厚くできないといった設計上の制約もあることから、この点についての改良は行っていないのが現状である。
本発明は前記課題を解決するためになされたもので、その目的とするところは、液晶パネル（電気光学パネル）の浮きを防止して良好な表示性能を確保するようにした、電気光学装置及び電子機器を提供することにある。
【課題を解決するための手段】
【００１４】
前記目的を達成するため本発明の電気光学装置は、表示面を有する電気光学パネルと、
側壁を有する前記電気光学パネルを収容する収容部材と、
前記電気光学パネルに一端部が接続された配線基板と、を備え、
前記配線基板の他端部側は、前記電気光学パネルの前記表示面とは反対側に折り曲げられてなり、
前記配線基板の他端部側は、前記収容部材の側壁に密着した状態で折り曲げられているとともに、前記収容部材、又は前記収容部材に収容されてなる被収容部材に固定されてなり、
前記配線基板は、前記一端部側と前記他端部側との間で張力が働いている状態で、前記収容部材の側壁に密着していることを特徴とする電気光学装置。
【００１５】
この電気光学装置によれば、配線基板を、その一端部側と他端部側との間で張力が働いている状態で、収容部材の側端面に密着させているので、この配線基板の、収容部材に対応する曲げ部分及びその近傍での、曲げ応力の方向が分散される。すなわち、一端部側と他端部側との間で張力が働いていることにより、配線基板の曲げ応力による前記電気光学パネル表面に対する法線方向に向かう力が、該電気光学パネル表面の面方向における前記収容部材の側端面側に向かう力に変換させられる。したがって、前記法線方向に向かう力によって電気光学パネルが例えば接着テープから剥がれ、収容部材から浮き上がってしまうことが防止される。また、前記張力の反力（応力）によって電気光学パネルが収容部材の側端面側に向かう（引っ張られる）ことにより、電気光学パネルが収容部材に当接する。したがって、前記法線方向に向かう力が抑えられ、電気光学パネルの収容部材からの浮き上がりが防止される。さらに、配線基板が収容部材の側端面に対してたわみなく密着して設けられているので、例えば筐体等に組み込んだ際にも、たわみ（隙間）部分が筐体等に押されるといったことがなく、これにより電気光学パネルが収容部材から浮き上がってしまうことが防止される。
よって、電気光学パネルの収容部材からの浮き上がりが十分に防止されていることにより、この電気光学装置にあっては、輝度ムラのない良好な表示が可能になり、良好な画像の表示性能が長期に亘って確保されるようになる。
【００１６】
また、前記電気光学装置において、前記配線基板の他端部側は、複数箇所で前記収容部材又は前記被収容部材に接着されているのが好ましい。
このようにすれば、配線基板の他端部側の固定が強固になり、したがって配線基板の一端部側と他端部側との間で張力が働いている状態が長期に亘って維持されるようになる。
【００１７】
また、前記電気光学装置において、前記配線基板の他端部側は、その全面で前記収容部材又は前記被収容部材に接着されているのが好ましい。
このようにすれば、配線基板の他端部側の固定がより強固になり、したがって配線基板の一端部側と他端部側との間で張力が働いている状態が長期に亘って維持されるようになる。
【００１８】
また、前記電気光学装置においては、前記配線基板の他端部側が、接着による固定手段と機械的固定手段とが併用されて前記収容部材又は前記被収容部材に固定されているのが好ましい。
このようにすれば、収容部材又は被収容部材に対する配線基板の他端部側の固定がより強固になり、したがって配線基板の一端部側と他端部側との間で張力が働いている状態が長期に亘って維持されるようになる。
【００１９】
また、前記電気光学装置において、前記配線基板の他端部側は、その外面側が押さえ材によって前記収容部材又は前記被収容部材に押し付けられているのが好ましい。
このようにすれば、収容部材又は被収容部材に対する配線基板の他端部側の固定がより強固になり、したがって配線基板の一端部側と他端部側との間で張力が働いている状態が長期に亘って維持されるようになる。
【００２０】
また、前記電気光学装置においては、前記収容部材が、該収容部材の少なくとも底部を構成する金属部と、該金属部と一体化された樹脂部とによって構成されているのが好ましい。
このようにすれば、特に底部を金属部で構成していることにより、曲げやねじれの力に対する電気光学装置の機械的強度を向上させることができる。
【００２１】
本発明の電子機器は、前記の電気光学装置を備えることを特徴としている。
この電子機器によれば、前記電気光学装置を備えているので、電気光学パネルの収容部材からの浮き上がりが防止され、これにより輝度ムラのない良好な表示が可能になり、良好な画像の表示性能が長期に亘って確保されたものとなる。
【００２２】
また、前記電子機器においては、前記電気光学装置を収容する筐体を備え、
前記筐体には、前記電気光学装置における前記配線基板の他端部側を、前記収容部材又は前記被収容部材に押し付けて圧着させる圧着部が設けられているのが好ましい。
このようにすれば、収容部材又は被収容部材に対する配線基板の他端部側の固定がより強固になり、したがって配線基板の一端部側と他端部側との間で張力が働いている状態が長期に亘って維持されるようになる。
【図面の簡単な説明】
【００２３】
【図１】本発明の一実施形態に係る液晶表示装置の概略構成を示す要部斜視図である。
【図２】図１のＡ−Ａ線矢視断面図である。
【図３】図１に示した液晶表示装置の要部底面図である。
【図４】フレームに対するＦＰＣ基板の取り付け方を説明するための模式図である。
【図５】本発明の他の実施形態に係る液晶表示装置の要部側断面図である。
【図６】本発明の他の実施形態に係る液晶表示装置の要部底面図である。
【図７】本発明の電子機器に係る携帯電話の概略構成図である。
【図８】本発明の電子機器に係る要部側断面図である。
【図９】従来の液晶表示装置の課題を示した断面図である。
【図１０】従来の液晶表示装置の課題を示した断面図である。
【図１１】従来の液晶表示装置の課題を示した斜視図である。
【発明を実施するための形態】
【００２４】
以下、図面を参照して本発明を詳しく説明する。なお、以下の図面においては、各部材を認識可能な大きさとするために、各部材の縮尺を適宜変更している。
図１は、本発明の電気光学装置の一実施形態としての、液晶表示装置の概略構成を示す要部斜視図、図２は、図１のＡ−Ａ線矢視断面図、図３は、図１に示した液晶表示装置（電気光学装置）の要部底面図である。
【００２５】
これらの図において符号１は液晶表示装置（電気光学装置）であり、この液晶表示装置１は、図１及び図２に示すように、液晶パネル（電気光学パネル）１０と、この液晶パネル１０に接続されたＦＰＣ（Flexible Printed Circuit）基板（配線基板）２０と、液晶パネル１０を照明する照明装置３０と、液晶パネル１０及び照明装置３０を収容するフレーム（収容部材）４０と、を備えて構成されている。
【００２６】
図２に示すように、液晶パネル１０は、第１基板１１と、第１基板１１から張り出した張り出し部１２ａを有する第２基板１２と、これら第１基板１１及び第２基板１２を貼り合わせるための基板周縁部に設けられた不図示のシール材と、第１基板１１及び第２基板１２とシール材とにより形成された空間内に配置された液晶材料（電気光学材料）からなる液晶層（図示せず）と、第１、第２基板１１、１２を挟んで配設された第１偏光板１３及び第２偏光板１４とを有している。第１基板１１及び第２基板１２は、透光性を有するガラス、プラスチック等によって形成されている。
【００２７】
第１基板１１の第２基板１２と対向する面上には、複数のＩＴＯ（Indium・Tin Oxide）膜からなる、例えば、ストライプ状の第１透明電極（図示せず）が設けられ、この第１透明電極を覆うようにポリイミドなどからなる配向膜（図示せず）が形成されている。一方、第２基板１２の第１基板１１と対向する面上には、第１透明電極と交差するように複数のＩＴＯ膜からなる、例えば、ストライプ状の第２透明電極（図示せず）が設けられ、この第２透明電極を覆うようにポリイミドなどからなる配向膜（図示せず）が形成されている。ここで、第１透明電極、第２透明電極及びこれらを覆う配向膜は、公知の技術で形成されたものである。
【００２８】
さらに、張り出し部１２ａ上には、図２に示すように、例えば液晶パネル１０を駆動するために必要となる駆動回路５０及び入力用端子（不図示）が形成されている。この入力用端子に、外部電源や種々の外部機器が接続されることにより、ＦＰＣ基板２０を介して液晶パネル１０に駆動信号や電力が供給されるようになっている。
【００２９】
このような構成の液晶パネル１０は、対向する第１透明電極及び第２透明電極と、これらに挟持される液晶層とによって画素が形成されている。そして、各画素に印加される電圧が選択的に変化させられることにより、液晶層の光学特性が変化し、照明装置３０から照射される光が各画素の液晶層を透過することで変調される。このように光を変調させることにより、画像などを表示することができようになっている。なお、液晶パネル１０における表示領域は、図１に示す、シール材により囲まれた表示領域Ｖに略等しくなっている。
【００３０】
照明装置３０は、図２に示すように、光を射出するＬＥＤ（光源）３１と、導光板３２と、反射板３３と、拡散板３４と、第１プリズムシート３５と、第２プリズムシート３６とを備えて構成されており、反射板３３と、導光板３２と、拡散板３４と、第１プリズムシート３５と、第２プリズムシート３６とをこの順に、液晶パネル１０に向かって配置している。
【００３１】
照明装置３０と液晶パネル１０とは、両面が接着可能な両面遮光シート（接着テープ）３７を介して貼り合わされている。この両面遮光シート３７は、その側端部がフレーム４０に貼設され、内側が導光板３２と液晶パネル１０との間に貼設された額縁状のものである。そして、遮光性を有し、照明装置３０からの光漏れを防止するようになっており、これによって液晶パネル１０の遮光領域を兼ねるものとなっている。
【００３２】
なお、照明装置３０は、フレーム４０に形成された開口部４０ａ内に、ＬＥＤ３１を配置している。
フレーム４０は、図１に示すように、金属板（金属部）４３と樹脂部４４とのインサート成形によって一体的に形成されたもので、金属板４３によって底部及び側壁部（枠部）の一部を形成し、この金属板４３と一体化された枠状の樹脂部４４によって枠部を形成したものである。
【００３３】
金属板４３は、例えば、ベリリウム銅、ステンレス等の金属材料によって形成され、樹脂部４４は、例えば、ポリカーボネート等の樹脂材料により形成されている。
フレーム４０には、図２に示すように、金属板４３からなる底部４５と樹脂部４４等からなる枠部４６とによって囲まれてなる凹部４０ａが形成されており、この凹部４０ａに、液晶パネル１０及び照明装置３０が収容されている。
【００３４】
ＦＰＣ基板２０は、その一端部２１側の内面（第１面）２０ａが液晶パネル１０の表示面側、本実施形態では第２基板の張り出し部１２ａに接続され、接着されており、他端部２２側が、図３に示すようにフレーム４０の底部４５の裏面（底面）に接着され、固定されている。すなわち、このＦＰＣ基板２０は、図２に示すように一端部２１側が液晶パネル１０に接続され、さらにフレーム４０の枠部４６の側端面（側壁）４６ａを回り込んだ後、他端部２２がフレーム４０の裏面（底面）に固定されている。
【００３５】
ＦＰＣ基板２０の一端部２１には、張り出し部１２ａ上に配置された入力用端子と導電接続される配線（図示せず）が形成されている。これら配線は、例えばＡＣＦ（導電性接着剤）によって前記入力用端子に導電接続されている。
また、他端部２２には、配線と電気的に接続される回路素子としての複数の半導体装置５４が配置されている。さらに、他端部２２には、図３に示すように側方に延出する延出部２３が形成され、この延出部２３の先端には、筐体（図示せず）側の導電部に接続する導電接続部２４が形成されている。
【００３６】
また、このＦＰＣ基板２０は、その一端部２１側と他端部２２側との間で、図２中矢印で示す張力Ｔが働いている状態で、液晶パネル１０及びフレーム４０に貼設されており、これにより、一端部２１側と他端部２２側とで、フレーム４０及び液晶パネル１０を挟持している。
したがって、フレーム４０の枠部４６の側端面４６ａを回り込んだ部分では、該側端面４６ａに対して従来のごとく隙間をあけ、たわみを持つことなく、図２に示したように該側端面４６ａに対して内面２０ａ側が密着して貼設されている。この側端面４６ａに対して密着した部分は、該側端面４６ａに対して接着されていてもよく、接着されることなく単に接した状態で密着していてもよい。接着する場合には、接着剤を用いてもよく、両面テープを用いてもよい。
【００３７】
一端部２１側と他端部２２側との間で張力Ｔを働かせる方法としては、特に限定されることなく種々の手法を採用することができる。本実施形態では、後述するように一端部２１側を液晶パネル１０に接着・固定した後、他端部２２側を引っ張った状態でフレーム４０の枠部４６の側端面４６ａを回り込ませ、その後、引っ張り力を保持した状態で、他端部２２側をフレーム４０の底部４５の裏面（底面）に接着・固定している。
【００３８】
一端部２１側と他端部２２側との間に働かせる張力Ｔの大きさ（強さ）については、数十ｇｆ〜６００ｇｆ程度の範囲とするのが好ましい。６００ｇｆ以下とするのが好ましいのは、ＦＰＣ基板２０の一端部２１側と液晶パネル１０との間を、前記したようにＡＣＦ（導電性接着剤）で接続（接着）する場合の接着強度が６００ｇｆ程度であり、したがってこの程度の力（張力）がＦＰＣ基板２０に働いても、一端部２１側の接着（接続）に剥離等の支障が生じないからである。また、数十ｇｆ以上（例えば２０ｇｆ以上）の張力が働いていれば、ＦＰＣ基板２０の、フレーム４０の枠部４６の側端面４６ａを回り込んだ部分において、たわむことで隙間が生じることがなく、したがってフレーム４０に対して液晶パネル１０が浮くといった不都合が確実に抑えられるからである。
【００３９】
また、他端部２２側の、フレーム４０の底部４５の裏面（底面）に対する接着については、例えばその最端部において１箇所で接着してもよいが、より接着強度を高めるうえで、複数箇所で接着するのが好ましい。さらに、図３に示した底部４５の裏面に接する面全体、すなわち裏面に対向する箇所の全面で接着するのが、より好ましい。接着については、接着剤を用いてもよく、両面テープを用いてもよい。このように複数箇所で接着し、さらには全面で接着すれば、フレーム４０の裏面に対するＦＰＣ基板２０の他端部２２側の固定がより強固になり、したがってＦＰＣ基板２０の一端部２１側と他端部２２側との間で前記張力が働いている状態が、長期に亘って維持されるようになる。
【００４０】
図２に示した、他端部２２側の半導体装置５４は、液晶パネル１０の駆動回路５０に対して制御信号や電力を供給するものである。また、ＦＰＣ基板２０の外面（第２面）２０ｂ上には、外部から半導体装置５４に対して制御信号や電源などを供給するための配線（図示せず）が形成されている。
【００４１】
このような構成の液晶表示装置１の組み立てるには、まず、金属板４３と樹脂部４４とが一体的に形成されたフレーム４０に、液晶パネル１０を嵌め込む。
続いて、ＦＰＣ基板２０を取り付けるべく、まずＦＰＣ基板２０の一端部２１を、ＡＣＦを用いて液晶パネル１０の表示面（外面）側に接続し接着する。また、このＦＰＣ基板２０には、その他端部２２側の内面（第１面）２０ａに、両面テープあるいは接着剤を設けておく。さらに、必要に応じて、フレーム４０の側端面４６ａに当接する箇所にも、両面テープあるいは接着剤を設けておく。
【００４２】
次に、専用の治具を用いてＦＰＣ基板２０の一端部２１より先側（他端部２２側）を、液晶パネル１０の表示面（外面）側から順にフレーム４０の側端面４６ａまで当接させ、さらに側端面４６ａを回り込ませて、フレーム４０の底部４５の裏面にまで引き回す。そして、その状態で両面テープあるいは接着剤によって他端部２２側をフレーム４０の底部４５の裏面に接着し固定する。
【００４３】
すなわち、図４に示すように摩擦係数が大きい軟質の樹脂又はゴムからなる押圧板６０を、ＦＰＣ基板２０の一端部２１上に当て、加圧する。そして、この加圧状態を維持しつつ、図４中矢印で示すように、押圧板６０をフレーム４０の側端面４６ａ上に沿って移動させる。つまり、ＦＰＣ基板２０の表面（外面２０ｂ）を加圧してその裏面（内面２０ａ）を側端面４６ａ側に押し付けつつ、ＦＰＣ基板２０上を摺動させる。
【００４４】
このようにして摺動させると、押圧板６０は摩擦係数が高いことから、摩擦によってＦＰＣ基板２０の他端部２２側を一端部２１に対して引っ張ることができる。そして、このように他端部２２側を引っ張った状態で、この他端部２２側をフレーム４０の底部４５の裏面にまで当接させることにより、この他端部２２を底部４５の裏面に対して接着し固定することができる。したがって、このような押圧板６０で加圧しつつこれを摺動させることにより、一端部２１に対して他端部２２を引っ張った状態、すなわち張力Ｔが働いている状態に固定するとともに、フレーム４０の側端面４６ａに対しては、隙間無く、したがってたわみを持つことなく、密着させることができる。
【００４５】
このようにして構成された液晶表示装置１にあっては、ＦＰＣ基板２０を、その一端部２１側と他端部２２側との間で張力Ｔが働いている状態で、フレーム４０の側端面４６ａに密着させているので、このＦＰＣ基板２０の、フレーム４０の枠部４６に対応する曲げ部分及びその近傍での、曲げ応力の方向を分散させることができる。すなわち、一端部２１側と他端部２２側との間で張力Ｔを働かせていることにより、ＦＰＣ基板２０の曲げ応力による液晶パネル１０表面に対する法線方向に向かう力（図２中矢印Ｐで示す）の一部を、該液晶パネル１０表面の面方向におけるフレーム４０の側端面４６ａ側に向かう力（図２中矢印Ｑで示す）に変換することができる。したがって、前記法線方向に向かう力Ｐによって液晶パネル１０が両面遮光シート３７（接着テープ）から剥がれ、フレーム４０から浮き上がってしまうことを防止することができる。
【００４６】
また、張力Ｔの反力（応力）による側端面４６ａ側に向かう力Ｑによって、液晶パネル１０がフレーム４０の側端面４６ａ側に向かう（引っ張られる）ことにより、液晶パネル１０がフレーム４０に当接する。したがって、前記法線方向に向かう力Ｐを抑え、液晶パネル１０のフレーム４０からの浮き上がりを防止することができる。
さらに、ＦＰＣ基板２０をフレーム４０の側端面４６ａに対してたわみなく密着して設けているので、例えば筐体等に組み込んだ際にも、たわみ（隙間）部分が筐体等に押されるといったことがなく、これにより液晶パネル１０がフレーム４０から浮き上がってしまうことを防止することができる。
よって、この液晶表示装置１によれば、液晶パネル１０のフレーム４０からの浮き上がりを十分に防止しているので、輝度ムラのない良好な表示を可能にし、良好な画像の表示性能を長期に亘って確保することができる。
【００４７】
なお、従来では、ＦＰＣ基板（配線基板）２０の強度不足やその配線の強度不足など、さらには公差管理の点で、フレーム４０の枠部４６の側端面４６ａにたわませることなく密着させることは考えられなかった。しかし、近年では、ＦＰＣ基板（配線基板）２０やその配線についての強度向上が図られ、さらには公差管理についても進歩していることにより、ＦＰＣ基板（配線基板）２０をフレーム４０の枠部４６の側端面４６ａに密着させることによる不都合は、解消されている。
【００４８】
図５は、本発明に係る液晶表示装置（電気光学装置）の別の実施形態を示す図である。この実施形態の液晶表示装置が図２に示した実施形態の液晶表示装置１と異なるところは、ＦＰＣ基板２０の他端部２２をフレーム４０の底部４５の裏面により強固に固定するため、接着剤や両面テープによる接着とは別に、機械的固定手段を併用した点である。
【００４９】
すなわち、この実施形態では、図５に示すようにフレーム４０の底部４５に突起６２が設けられており、一方、ＦＰＣ基板２０には、これに対応する位置に孔６４が形成されている。これら突起６２と孔６４とは、ＦＰＣ基板２０が、その一端部２１側と他端部２２側との間で張力Ｔを働かせている状態のもとで、嵌合している。つまり、ＦＰＣ基板２０が、フレーム４０の底部４５の裏面に張力を働かせた状態で接着され、さらにこの状態が維持された状態で、突起６２と孔６４とが嵌合している。
【００５０】
したがって、この実施形態の液晶表示装置にあっては、ＦＰＣ基板２０の他端部２２側が、接着による固定手段に加えて、突起６２と孔６４との嵌合による機械的固定手段によってもフレーム４０の底部４５の裏面に固定されているため、この固定がより強固になる。よって、ＦＰＣ基板２０の一端部２１側と他端部２２側との間で張力Ｔが働いている状態を、長期に亘って維持することができ、これにより、液晶パネル１０のフレーム４０からの浮き上がりを長期に亘って十分に防止することができる。
【００５１】
なお、機械的固定手段としては、前記の突起６２と孔６４との嵌合に限らず、種々の構成を採用することができる。例えば、ＦＰＣ基板２０をフレーム４０の底部４５にネジ止めすることで固定してもよく、また、フレーム４０の底部４５をくさび状に切り欠いて係合爪を形成しておき、この係合爪にＦＰＣ基板２０を引っ掛け、固定するようにしてもよい。
【００５２】
図６は、本発明に係る液晶表示装置（電気光学装置）のさらに別の実施形態を示す図である。この実施形態の液晶表示装置が図３に示した実施形態の液晶表示装置１と異なるところは、フレーム４０の底部４５の裏面に固定されたＦＰＣ基板２０の他端部２２側が、前述した接着に加えて、押さえ材６６、６７によっても固定されている点である。
【００５３】
押さえ材６６、６７としては、樹脂や金属からなる板状（フレーム状）のものでもよく、樹脂製のシートやフィルム、テープからなっていてもよい。図６では、押さえ材６６を板状のものとし、押さえ材６７をシート（フィルム、テープ）状のものとしている。
板状の押さえ材６６は、例えばこれがフレーム４０の底部４５にネジ止めされることにより、ＦＰＣ基板２０の他端部２２側を機械的に押さえつけ、これによってＦＰＣ基板２０をフレーム４０の底部４５の裏面に押し付けるようにしている。なお、このように単に機械的に押さえるだけでなく、接着剤や両面テープを用いることにより、接着も併用して行うようにしてもよい。
【００５４】
シート状の押さえ材６７は、その押さえつけ面側に接着剤が配されたもので、この接着剤による接着力により、ＦＰＣ基板２０をフレーム４０の底部４５の裏面に押し付けるようにしている。
この実施形態の液晶表示装置にあっても、ＦＰＣ基板２０の他端部２２側が、接着による固定手段に加えて、押さえ材６６、６７による押し付け力によっても固定されているため、この固定がより強固になる。したがって、ＦＰＣ基板２０の一端部２１側と他端部２２側との間で張力Ｔが働いている状態を、長期に亘って維持することができ、これにより、液晶パネル１０のフレーム４０からの浮き上がりを長期に亘って十分に防止することができる。
【００５５】
次に、前記構成の液晶表示装置１を備える電子機器について説明する。
図７は、本発明の液晶表示装置１を備える電子機器である携帯電話機を示す外観斜視図である。本実施形態における電子機器は、図７に示すような携帯電話機３００であって、本体部３０１と、これに開閉可能に設けられた表示体部３０２とを有する。表示体部３０２の内部には表示装置３０３が配置されており、電話通信に関する各種表示が表示画面３０４において視認可能となっている。また、本体部３０１には操作ボタン３０５が配列されている。
【００５６】
そして、表示体部３０２の一端部には、アンテナ３０６が伸縮自在に取り付けられている。また、表示体部３０２の上部に設けられた受話部３０７の内部には、スピーカ（図示略）が内蔵されている。さらに、本体部３０１の下端部に設けられた送話部３０８の内部には、マイク（図示略）が内蔵されている。ここで、表示装置３０３には、前記液晶表示装置１が用いられている。
したがって、この携帯電話機３００にあっては、液晶パネル１０のフレーム４０からの浮き上がりが防止された表示装置３０３（液晶表示装置１）を備えているので、輝度ムラのない良好な表示をなすことができ、良好な画像の表示性能を長期に亘って確保した優れたものとなる。
【００５７】
また、このような携帯電話機３００等の電子機器にあっては、例えば図８に示すように前記液晶パネル１０を収容する筐体３１０の底部に凸状の圧着部３１２を設けておき、この圧着部３１２をＦＰＣ基板２０の他端部２２側に当接させることにより、該他端部２２側をフレーム４０の底部４５の裏面に押し付け、圧着するようにしてもよい。なお、図８中符号３１４はカバーである。
このようにすれば、フレーム４０の底部４５の裏面に対するＦＰＣ基板２０の他端部２２側の固定を、より強固にすることができる。したがって、ＦＰＣ基板２０の一端部２１側と他端部２２側との間で張力Ｔが働いている状態を、長期に亘って維持することができる。
【００５８】
また、本発明の電子機器としては、携帯電話機以外にも、例えば電子ノート、パーソナルコンピュータ、電子ブック、ビューファインダ型、モニタ直視型のビデオテープレコーダ、カーナビゲーション装置、ページャ、電子手帳、電卓、ワードプロセッサ、ワークステーション、テレビ電話、ＰＯＳ端末等などを挙げることができる。
【００５９】
なお、本発明は前記実施形態に限定されることなく、本発明の要旨を逸脱しない範囲で種々の変更が可能である。
例えば、前記実施形態では、本発明に係る収容部材として、底部４５を有するフレーム（収容部材）４０を用い、この底部４５の裏面にＦＰＣ基板（配線基板）２０の他端部２２側を固定するようにしたが、本発明に係る収容部材としては、底部を有さない枠部のみからなるもの、あるいは底部に開口を有したものなどを用いることができる。
【００６０】
その場合には、ＦＰＣ基板（配線基板）２０の他端部２２側については、収容部材（フレーム）に収容されてなる被収容部材、具体的には図２に示す導光板３２の裏面側（反射板３３の裏面）に固定する。
このように構成しても、ＦＰＣ基板２０の一端部２１側と他端部２２側との間で張力Ｔが働いている状態で、ＦＰＣ基板２０を収容部材（フレーム）の側端面に密着させることができる。
【００６１】
また、前記実施形態では、例えば図２に示したように、ＦＰＣ基板２０の内面（第１面）２０ａを液晶パネル１０の第２基板の張り出し部１２ａに接続するようにしたが、例えば液晶パネル１０の第１基板１１と第２基板１２との上下位置が入れ替わり、第２基板１２が外側に位置するように液晶パネル１０が構成されている場合では、ＦＰＣ基板２０についてもその配線等を適宜に形成したうえで、その外面（第２面）２０ｂ側で、液晶パネル１０に接続するように構成してもよい。
【００６２】
また、前記実施形態では、ＦＰＣ基板（配線基板）２０の一端部２１側を、液晶パネル１０における第２基板１２の張り出し部１２ａに接続するようにしたが、例えば一端部２１側を、第１偏光板１３上にまで延ばして、この第１偏光板１３に接続するようにしてもよい。したがって、このような構成の場合には、本発明に係る電気光学パネル（液晶パネル）は、偏光板を含むものとする。
【００６３】
また、前記実施形態では、収容部材としてのフレーム４０を、金属板４３及び樹脂部４４を有する構成としたが、全体を樹脂のみによって構成してもよい。
また、本発明に係る電気光パネルとしては、液晶パネル１０に限定されることなく、例えば有機ＥＬパネル、タッチパネル等を用いることもできる。したがって、本発明は電気光学装置一般に適用することができる。
【符号の説明】
【００６４】
１…液晶表示装置（電気光学装置）、１０…液晶パネル（電気光学パネル）、２０…ＦＰＣ基板（配線基板）、２１…一端部、２２…他端部、４０…フレーム（収容部材）、４５…底部、４６…枠部、４６ａ…側端面（側壁）、６０…押圧板、６２…突起、６４…孔、６６…押さえ材、６７…押さえ材、３００…携帯電話機（電子機器）、３１２…圧着部、Ｔ…張力
【図１】
2011133519.tif 000003
【図２】
2011133519.tif 000004
【図３】
2011133519.tif 000005
【図４】
2011133519.tif 000006
【図５】
2011133519.tif 000007
【図６】
2011133519.tif 000008
【図７】
2011133519.tif 000009
【図８】
2011133519.tif 000010
【図９】
2011133519.tif 000011
【図１０】
2011133519.tif 000012
【図１１】
2011133519.tif 000013